(57)【要約】      （修正有）【課題】工場等で予め組み立てたフェンス構成体を用いることで、作業者の能力に影響されずに所定の精度を安定的に確保でき、施工期間の短縮が可能なフェンス構成体およびフェンスを提供する。【解決手段】第１のフェンス構成体１は、平行に配置する複数の格子部材１０と、各格子部材と交差及び貫通し連結し、両端がジョイント体３の取付部１１２となる複数の連結パイプと、隣接する格子部材の間の領域に配置された筒状のスペーサー１２からなり、第２のフェンス構成体２は、複数の格子部材１０、２０（フェンス全体の最も外側に位置する格子部材の外側面にネジ孔が現れない）と、一端側に雄ネジ部、他端側にジョイント体３の取付部２１２を有する複数の連結パイプと、スペーサー１２からなり、ジョイント体３は、棒体３１、接続部用スペーサー３２、タッピンネジからなる。【選択図】図４
0003217305.tif 000002
【実用新案登録請求の範囲】
【請求項１】
所要長さを有する棒体であり、各々が並列に配置される複数の格子部材と、
該格子部材と交差する方向に同格子部材を貫通し、隣接する同格子部材を連結する複数の連結棒と、
該連結棒と同軸方向に配置されると共に、隣接する前記各格子部材の間隔を一定に保持するスペーサーと、
隣接する他のフェンス構成体を接合させるために用いられるジョイント手段を取り付ける取付部とを備える
フェンス構成体。
【請求項２】
前記連結棒が、両端が開口した筒体であって、前記格子部材のうち最も外側に位置する２つの同格子部材のいずれか一方または両方から突出した同連結棒の端部が前記取付部となっており、
前記取付部と、同取付部と連通する隣接した他のフェンス構成体に係る他の取付部とに亘って挿入される棒体と、同棒体が配置された同各取付部に取り付けられると共に、隣接する前記各格子部材の間隔を一定に保持すべく配置される接続部用スペーサーと、少なくとも、前記スペーサーと前記連結棒、または、同接続部用スペーサーと同連結棒のいずれかを貫通して、同棒体を固定可能な軸長を有するタッピンネジとを有するジョイント手段を備えている
請求項１記載のフェンス構成体。
【請求項３】
前記取付部が、前記格子部材のうち最も外側に位置する２つの同格子部材のいずれか一方または両方に設けられ、隣接する他のフェンス構成体へ向いて開口した所要深さの孔を有するものであり、
前記最も外側に配置される格子部材と、隣接する他のフェンス構成体に係る最も外側に配置される格子部材との間隔を一定に保持するスペーサー部と、同スペーサー部の中心軸線の両方向へ延びた前記取付部の孔に嵌入して脱落しない太さの嵌入軸部とを有するジョイント手段を備えている
請求項１記載のフェンス構成体。
【請求項４】
所要長さを有する棒体であり、各々が並列に配置される複数の格子部材と、
該格子部材と交差する方向に同格子部材を貫通し、隣接する同格子部材を連結する複数の連結棒と、
該連結棒と同軸方向に配置されると共に、隣接する前記各格子部材の間隔を一定に保持すべく配置されたスペーサーと、
前記格子部材のうち、最も外側に位置する２つの同格子部材の両方に設けられると共に、隣接する他のフェンス構成体を接合させるために用いられるジョイント手段を取り付ける取付部とを備えており、複数のフェンス構成体を組み合わせてなるフェンスの左右の端部または上下の端部以外の部品として配置される
フェンス構成体。
【請求項５】
所要長さを有する棒体であり、各々が並列に配置された複数の格子部材と、
該格子部材と交差する方向に同格子部材を貫通し、隣接する同格子部材を連結する複数の連結棒と、
該連結棒と同軸方向に配置されると共に、隣接する前記各格子部材の間隔を一定に保持すべく配置されたスペーサーと、
前記格子部材のうち、最も外側に位置する２つの同格子部材の一方にのみ設けられると共に、隣接する他のフェンス構成体を接合させるために用いられるジョイント手段を取り付ける取付部とを備えており、複数のフェンス構成体を組み合わせてなるフェンスの左右の端部または上下の端部を構成する部品として配置される
フェンス構成体。
【請求項６】
所要長さを有する棒体であり、各々が並列に配置される複数の格子部材と、
該各格子部材のうち隣接するものを、所要の間隔を開けて連結する連結手段と、
隣接する他のフェンス構成体と接続するための接続要素の取付部とを備える
フェンス構成体。
【請求項７】
所要長さを有する棒体であり、各々が並列に配置された複数の格子部材と、同格子部材と交差する方向に同格子部材を貫通し、隣接する同格子部材を連結する複数の連結棒と、同連結棒と同軸方向に配置されると共に、隣接する同各格子部材の間隔を一定に保持すべく配置されたスペーサーと、隣接する他のフェンス構成体を接合させるために用いられるジョイント手段を取り付ける取付部とを備えており、予め組み立てられている複数のフェンス構成体を、ジョイント手段により作業現場で接合して構築される
フェンス。
【考案の詳細な説明】
【技術分野】
【０００１】
本考案は、フェンス構成体、およびフェンスに関する。更に詳しくは、工場等で予め組み立てられたフェンス構成体を用いることで、フェンスを構築する際に、作業者の能力に影響されることなく、所定の精度を安定的に確保できると共に、施工期間が短縮できるものに関する。
【背景技術】
【０００２】
近年、建物の外装または内装として、ルーバー型フェンスを採用している事例が多く見受けられる。これは、本来の目隠し機能のみならず、特に木製のルーバー型フェンスの落ち着きのあるデザイン的要素等が再評価されているものと考えられる。
【０００３】
一般的に、ルーバー型フェンスは、下記の非特許文献１に示されているように、格子部材と、格子部材を連結する連結部材を施工現場に搬入し、その場で組み立てて設置している。
【先行技術文献】
【非特許文献】
【０００４】
【非特許文献１】株式会社ｓａｉブランド  府中小学校ルーバー工事（１）インターネット＜URL：http://www.sai-brand.jp/blog/?p=141＞
【考案の概要】
【考案が解決しようとする課題】
【０００５】
上記のように、従来のルーバー型フェンスは、現場で各々の部品を現場で組み上げているものであることから、作業者の能力によっては完成までに掛かる時間に大きな差が生じていた。また、このような理由から、ルーバー型フェンスが完成するまでの作業者の工賃が幾らになるか予想しにくく、設計事務所にとって建築費用の正確な見積を出すことが難しかった。
【０００６】
本考案は、以上の点を鑑みて創案されたものであり、工場等で予め組み立てられたフェンス構成体を用いることで、フェンスを構築する際に、作業者の能力に影響されることなく、所定の精度を安定的に確保できると共に、施工期間の短縮が可能なフェンス構成体、フェンスおよびフェンスの設置方法を提供することを目的とするものである。
【課題を解決するための手段】
【０００７】
上記の目的を達成するために本考案のフェンス構成体は、
所要長さを有する棒体であり、各々が並列に配置される複数の格子部材と、
該格子部材と交差する方向に同格子部材を貫通し、隣接する同格子部材を連結する複数の連結棒と、
該連結棒と同軸方向に配置されると共に、隣接する前記各格子部材の間隔を一定に保持するスペーサーと、
隣接する他のフェンス構成体を接合させるために用いられるジョイント手段を取り付ける取付部とを備える。
【０００８】
ここで、フェンス構成体は、上記構成を備えることにより、工場等で予め組み立てられることで、所定の精度を安定的に確保することができ、作業現場ではフェンス構成体を接いでフェンスを設置できるため、施工期間が短縮できる。このように、フェンスの設置作業は簡単な作業であるため、作業者の能力によって完成までに掛かる時間が左右されにくく、また、設計事務所が建築費用の見積を行う際に、作業者の工賃が幾らになるか予想しやすく、正確な見積の作成が可能となる。
【０００９】
また、各格子部材は、目隠しあるいは日よけ等として機能すると共に、建物の外装または内装としての美観を生じさせることができる。
【００１０】
更に、各連結棒は、格子部材を貫通することで、隣接する格子部材を連結することができる。加えて、各連結棒は、スペーサーの取付部分とすることができる。
【００１１】
更にまた、スペーサーは、隣接する前記各格子部材の間隔を一定に保持することができる。加えて、スペーサーが連結棒に取り付けられているので、フェンス構成体は、まとまった外見となり、格子部材の間の空間がすっきりとして見栄えがする。
【００１２】
取付部は、同部分にジョイント手段が取り付けられることによって、隣接して配置される他のフェンス構成体を接合することができる。
【００１３】
前記連結棒が、両端が開口した筒体であって、前記格子部材のうち最も外側に位置する２つの同格子部材のいずれか一方または両方から突出した同連結棒の端部が前記取付部となっており、前記取付部と、同取付部と連通する隣接した他のフェンス構成体に係る他の取付部とに亘って挿入される棒体と、同棒体が配置された同各取付部に取り付けられると共に、隣接する前記各格子部材の間隔を一定に保持すべく配置される接続部用スペーサーと、少なくとも、前記スペーサーと前記連結棒、または、同接続部用スペーサーと同連結棒のいずれかを貫通して、同棒体を固定可能な軸長を有するタッピンネジとを有するジョイント手段を備えている場合は、取付部と、隣接した他のフェンス構成体に係る他の取付部とに亘って棒体を挿通させると共に、連通した各取付部にスペーサーを取り付け、タッピンネジにより、少なくとも、前記スペーサーと前記連結棒、または、同接続部用スペーサーと同連結棒のいずれかを貫通させて棒体を固定することで、隣接するフェンス構成体が接続され、かつ、ジョイント手段が有するスペーサー部によって隣接するフェンス構成体の間の間隔が一定に保持される。
このように、作業現場でフェンス構成体を接いでフェンスを設置する作業が簡単であり、施工期間が短縮できる。
【００１４】
前記取付部が、前記格子部材のうち最も外側に位置する２つの同格子部材のいずれか一方または両方に設けられ、隣接する他のフェンス構成体へ向いて開口した所要深さの孔を有するものであり、前記最も外側に配置される格子部材と、隣接する他のフェンス構成体に係る最も外側に配置される格子部材との間隔を一定に保持するスペーサー部と、同スペーサー部の中心軸線の両方向へ延びた前記取付部の孔に嵌入して脱落しない太さの嵌入軸部とを有するジョイント手段を備えている場合は、取付部の孔にジョイント手段の嵌入軸部を嵌入させるだけで、隣接するフェンス構成体が連結され、かつ、ジョイント手段が有するスペーサー部によって隣接するフェンス構成体の間の間隔が一定に保持される。このため、作業現場でフェンス構成体を接いでフェンスを設置する作業がより簡単になり、施工期間が短縮できる。
【００１５】
上記の目的を達成するために本考案のフェンス構成体は、所要長さを有する棒体であり、各々が並列に配置される複数の格子部材と、該格子部材と交差する方向に同格子部材を貫通し、隣接する同格子部材を連結する複数の連結棒と、該連結棒と同軸方向に配置されると共に、隣接する前記各格子部材の間隔を一定に保持すべく配置されたスペーサーと、前記格子部材のうち、最も外側に位置する２つの同格子部材の両方に設けられると共に、隣接する他のフェンス構成体を接合させるために用いられるジョイント手段を取り付ける取付部とを備えており、複数のフェンス構成体を組み合わせてなるフェンスの左右の端部または上下の端部以外の部品として配置される。
【００１６】
ここで、フェンス構成体は、上記構成を備えることにより、工場等で予め組み立てられることで組み立て精度が確保されており、作業現場では、フェンス構成体を複数のフェンス構成体を組み合わせてなるフェンスの左右の端部または上下の端部以外の部品として（換言すると、フェンス全体の中間に用いられるものとして）利用することができる。
【００１７】
また、各格子部材は、目隠しあるいは日よけ等として機能すると共に、建物の外装としての美観を生じさせることができる。更に、各連結棒は、格子部材を貫通することで、隣接する格子部材を連結することができる。加えて、各連結棒は、スペーサーの取付部分とすることができる。
【００１８】
更にまた、スペーサーは、隣接する前記各格子部材の間隔を一定に保持することができる。加えて、スペーサーが連結棒に取り付けられているので、まとまった外見となり、格子部材の間の空間がすっきりとして見栄えがする。取付部は、同部分にジョイント手段を取り付けることによって、隣接して配置される他のフェンス構成体を接合することができる。
【００１９】
上記の目的を達成するために本考案のフェンス構成体は、所要長さを有する棒体であり、各々が並列に配置された複数の格子部材と、該格子部材と交差する方向に同格子部材を貫通し、隣接する同格子部材を連結する複数の連結棒と、該連結棒と同軸方向に配置されると共に、隣接する前記各格子部材の間隔を一定に保持すべく配置されたスペーサーと、前記格子部材のうち、最も外側に位置する２つの同格子部材の一方にのみ設けられると共に、隣接する他のフェンス構成体を接合させるために用いられるジョイント手段を取り付ける取付部とを備えており、複数のフェンス構成体を組み合わせてなるフェンスの左右の端部または上下の端部を構成する部品として配置される。
【００２０】
ここで、フェンス構成体は、上記構成を備えることにより、工場等で予め組み立てられることで、所定の精度を安定的に確保することができ、作業現場ではフェンス構成体をフェンスの左右の端部または上下の端部を構成する部品として利用することができる。
【００２１】
また、各格子部材は、目隠しあるいは日よけ等として機能すると共に、建物の外装または内装としての美観を生じさせることができる。更に、各連結棒は、格子部材を貫通することで、隣接する格子部材を連結することができる。加えて、各連結棒は、スペーサーの取付部分とすることができる。
【００２２】
更にまた、スペーサーは、隣接する前記各格子部材の間隔を一定に保持することができる。加えて、スペーサーが連結棒に取り付けられているので、まとまった外見となり、格子部材の間の空間がすっきりとして見栄えがする。取付部は、同部分にジョイント手段を取り付けることによって、隣接して配置される他のフェンス構成体（特に中間型のフェンス構成体）を接合することができる。
【００２３】
上記の目的を達成するために本考案のフェンス構成体は、所要長さを有する棒体であり、各々が並列に配置される複数の格子部材と、該各格子部材のうち隣接するものを、所要の間隔を開けて連結する連結手段と、隣接する他のフェンス構成体と接続するための接続要素の取付部とを備える。
【００２４】
ここで、フェンス構成体は、上記構成を備えることにより、工場等で予め組み立てられることで、所定の精度を安定的に確保することができ、作業現場で格子部材等を組み立てることなくフェンスを設置できるため、施工期間が短縮できる。このように、簡単な作業であるため、作業者の能力によって完成までに掛かる時間が左右されにくく、また、設計事務所が建築費用の見積を行う際に、作業者の工賃が幾らになるか予想しやすく、正確な見積の作成が可能となる。
【００２５】
また、各格子部材は、目隠しあるいは日よけ等として機能すると共に、建物の外装または内装としての美観を生じさせることができる。更に、各連結手段は、隣接する格子部材を所要の間隔を開けて連結することができる。取付部は、同部分に接続要素が取り付けられることによって、隣接して配置される他のフェンス構成体を接合することができる。
【００２６】
上記の目的を達成するために本考案のフェンスは、所要長さを有する棒体であり、各々が並列に配置された複数の格子部材と、同格子部材と交差する方向に同格子部材を貫通し、隣接する同格子部材を連結する複数の連結棒と、同連結棒に取り付けられると共に、隣接する同各格子部材の間隔を一定に保持すべく配置されたスペーサーと、隣接する他のフェンス構成体を接合させるために用いられるジョイント手段を取り付ける取付部とを備えており、予め組み立てられている複数のフェンス構成体を、ジョイント手段により作業現場で接合して構築される。
【００２７】
ここで、フェンスは、上記構成を備えることにより、工場等で予め組み立てられることで所定の精度が安定的に確保されたフェンス構成体を用いることで、作業現場で格子部材等を組み立てることなくフェンスを設置できるため、施工期間が短縮できる。このように、簡単な作業であるため、作業者の能力によって完成までに掛かる時間が左右されにくく、また、設計事務所が建築費用の見積を行う際に、作業者の工賃が幾らになるか予想しやすく、正確な見積の作成が可能となる。
【００２８】
また、各格子部材は、目隠しあるいは日よけ等として機能すると共に、建物の外装または内装としての美観を生じさせることができる。更に、各連結棒は、隣接する格子部材を連結することができる。更にまた、スペーサーは、隣接する前記各格子部材の間隔を開けることができる。
【００２９】
取付部は、同部分にジョイント手段を取り付けることができ、ジョイント手段を介して、隣接して配置される他のフェンス構成体を接合することができる。
【考案の効果】
【００３０】
本考案によるフェンス構成体によれば、フェンスを構築する際に、作業者の能力に影響されることなく、所定の精度を安定的に確保できると共に、施工期間の短縮が可能となる。
また、本考案によるフェンスによれば、フェンスを構築する際に、作業者の能力に影響されることなく、所定の精度を安定的に確保できると共に、施工期間の短縮が可能となる。
【図面の簡単な説明】
【００３１】
【図１】本考案の第１実施形態に係るフェンスの第１のフェンス構成体とジョイント体の分解斜視説明図である。
【図２】第１実施形態に係る第２のフェンス構成体の斜視説明図である。本考案の第１実施形態に係るフェンスの第２のフェンス構成体とジョイント体の分解斜視説明図である。
【図３】図２に示す第２のフェンス構成体の組立状態を示す正面視説明図であり、一点鎖線長円内は要部拡大説明図である。
【図４】第１のフェンス構成体と第２のフェンス構成体の接合構造を示す分解斜視説明図である。
【図５】第１のフェンス構成体と第２のフェンス構成体を組み合わせたフェンスを示し、（ａ）は正面視説明図、（ｂ）は（ａ）におけるＡ−Ａ断面図である。
【図６】建物にフェンスを設置した状態を示し、（ａ）斜視図、（ｂ）は建物とフェンスの設置構造を示す断面視説明図である。
【図７】格子部材を横方向にして、建物の窓部にフェンスを設置した状態を示す斜視図である。
【図８】第２実施形態に係るフェンス構成体の斜視説明図である。
【考案を実施するための形態】
【００３２】
図１ないし図８を参照して、本考案の実施の形態を更に詳細に説明する。なお、各図における符号は、煩雑さを軽減し理解を容易にする範囲内で付している。
なお、本実施の形態において、用語「連結パイプ」は先に述べた「連結棒」「連結手段」と、用語「ジョイント体」は先に述べた「ジョイント手段」「接続要素」と、同様の意味で使用している。
【００３３】
〔第１実施形態〕
図１ないし図７を参照して、第１実施形態に係るフェンスＦ１について説明する。
図５（ａ）に示すフェンスＦ１は、複数のフェンス構成体を組み合わせてなるものであり、フェンスＦ１全体の中間に位置する部材である第１のフェンス構成体１と、フェンスＦ１全体の接合方向の両端に位置する部材である第２のフェンス構成体２とを備えている。
なお、第１のフェンス構成体１と第２のフェンス構成体２は、共に工場等で予め組み立てられたものである。
【００３４】
（第１のフェンス構成体１）
図１を参照する。
第１のフェンス構成体１は、各々が平行に並んで配置される複数（本実施形態では５本）の格子部材１０と、各格子部材１０を貫通して連結する複数（図面上では一部省略し、５本のみ記載している）の連結パイプ１１と、隣接する格子部材１０の間の領域に配置されたスペーサー１２により構成されている。
【００３５】
格子部材１０は、それぞれ所要の長さを有する断面四角形状の棒体である。各格子部材１０は、連結パイプ１１を挿通させるための貫通孔１０１が格子部材１０の長手方向と直交するように形成されており、貫通孔１０１は格子部材１０の長手方向に所要間隔を開けて複数形成されている。なお、貫通孔の数は、例えば、格子部材の長さ等に応じて補強のために必要となる連結パイプの数に対応させる等して、適宜設定することができる。
【００３６】
なお、本実施形態においては、各格子部材１０は長さが３０００ｍｍであり、正面視の横幅が２２ｍｍ、奥行きが４４ｍｍの木製角柱材であるが、これに限定するものではなく、長さ、横幅、奥行きの数値は適宜変更可能であり、また、素材は、合成樹脂、金属、竹材その他の公知素材あるいはこれらの組み合わせであってもよい。更に、各格子部材１０は無垢の木材であるが、例えば、竹筒等の自然素材、金属筒体に木目のシートを接着したもののような人工素材等の他の公知材料を利用することもできる。
【００３７】
連結パイプ１１は、両端が開口した所要長さを有する金属製の筒体であって、先述の挿通孔１０１を通して各格子部材１０を格子部材１０と交差する方向（図５における横方向）へ連結する際の軸となるものである。
また、連結パイプ１１は、その両端が各格子部材１０のうち最も外側に位置するものの側面から突出しており、同突出部分が後述するジョイント体３の取付部１１２となっている。
【００３８】
なお、本実施形態においては、各連結パイプ１１は長さが２２０ｍｍ、径が１３ｍｍのアルミニウム合金製であり、取付部の突出長さは１１ｍｍであるが、これらの寸法は適宜変更可能であり、また、素材は、合成樹脂、ステンレススチール等の各種金属、木材、竹材その他の公知素材あるいはこれらの組み合わせであってもよい。また、一端から他端まで連通した完全な中空筒体に限定するものではなく、例えば、開口部から所定の領域が中空部であり、中間領域が中実となった棒体であってもよい。
【００３９】
スペーサー１２は、所要長さの筒体であり、連結パイプ１１を筒内に挿通させて外嵌めされ、開口した両端部が隣接する各格子部材１０の側面と当接する形で挟持される。
【００４０】
なお、本実施形態においては、各スペーサー１２は長さが２２ｍｍ、外径が２２ｍｍの合成樹脂製であるが、これらの寸法は適宜変更可能であり、また、素材は、ステンレススチール等の各種金属、木材、竹材その他の公知素材あるいはこれらの組み合わせであってもよい。また、スペーサーの形状は各種変更可能であり、例えば、一組の半円筒状のものであって組み合わせにより筒状のスペーサーとなるものや、Ｃ型のものであって連結パイプの側方から押し込んで取り付けるようなものであってもよい。また、各スペーサー１２のうち、取付部１１２の隣に配置されたものは、タッピンネジ３３を螺着させやすいように側面に孔が設けられているが、孔が無いものであってもよい。
【００４１】
（第２のフェンス構成体２）
図２、図３を参照する。
第２のフェンス構成体２は、各々が並列に配置される複数（本実施形態では３本）の格子部材１０，２０と、各格子部材１０，２０を貫通して連結する複数（図面上では一部省略し、５本のみ記載している）の連結パイプ２１と、隣接する格子部材１０，２０の間の領域に配置されたスペーサー１２により構成されている。
なお、先に説明した第１のフェンス構成体１と構造が共通する部分には同じ符号を付し、説明を省略する。
【００４２】
格子部材２０は、格子部材１０と略同じ形状の棒体であり、フェンスＦ１全体の最も外側に位置するものである。格子部材２０は、格子部材１０に係る貫通孔１０１と対応する位置に、連結パイプ２１を螺着させるためのネジ孔２２が複数設けられている（図３参照）。
【００４３】
各ネジ孔２２は、格子部材２０の側面に設けた孔（符号省略）に螺着した鬼目ナット２３により構成されており、格子部材１０側にのみ開口し、格子部材１０と対向していない側の格子部材２０に係る側面（即ち、フェンスＦ１に係る最も外側に位置する格子部材の側面側）には孔が現れないようにしてある。
【００４４】
連結パイプ２１は、所要長さを有する筒体であって、各格子部材１０，２０を貫通して連結するものである。連結パイプ２１は、一端側にネジ孔２２に螺着する雄ネジ部２１１を設けており、他端側は開口した構造となっている。
【００４５】
また、連結パイプ２１は、その雄ネジ部２１１と反対側の端部が、格子部材２０と反対側の端部に位置する格子部材１０の側面から突出しており、同突出部分が後述するジョイント体３を取り付ける取付部２１２となっている。
【００４６】
なお、本実施形態においては、各連結パイプ２１は長さが１２１ｍｍ、径が１３ｍｍのアルミニウム合金製であり、取付部の突出長さは１１ｍｍであるが、これらの寸法は適宜変更可能であり、また、素材は、合成樹脂、ステンレススチール等の各種金属、木材、竹材その他の公知素材あるいはこれらの組み合わせであってもよい。
【００４７】
また、本実施形態においては、雄ネジ部２１１は、雄ネジを、連結パイプ２１の内径と略同じ外径であり、かつ、長手方向に貫通し内周面に雌ネジが形成された孔を有する長ナット（符号省略）に螺着し、長ナットを連結パイプ２１に挿着して設けられているが、これに限定するものではなく、雄ネジを連結パイプに溶着または接着したものであってもよいし、連結パイプ２１の先部を削り出して形成したものであってもよい。
【００４８】
（ジョイント体３）
ジョイント体３は、棒体３１と、接続部用スペーサー３２と、タッピンネジ３３を有している。
【００４９】
棒体３１は、所要の長さを有するアルミニウム合金製の筒体であり、第１のフェンス構成体１に係る取付部１１２と、第２のフェンス構成体２に係る取付部２１２とに亘って挿入されるものである。なお、本実施形態においては、棒体は、長さが１６０ｍｍ、外径が８ｍｍのアルミニウム合金製であるが、これらの寸法は連結パイプ１１の内径に合わせて適宜変更可能であり、また、素材は、合成樹脂、ステンレススチール等の各種金属、木材、竹材その他の公知素材あるいはこれらの組み合わせであってもよい。
【００５０】
接続部用スペーサー３２は、棒体３１が配置された各取付部１１２，２１２に取り付けられて、隣接する各格子部材１０の間隔を一定に保持すべく配置されるものである。接続部用スペーサー３２は、スペーサー１２と形状等が同一であるため、説明を省略する。
【００５１】
なお、本実施形態においては、連結パイプ１１等とスペーサー１２との間は余裕を持たせるべく隙間が生じているが、これに限定するものではなく、例えば、取付部１１２，２１２の外径と接続部用スペーサー３２（スペーサー１２も）の内径をほぼ同じにし、連結パイプ１１，２１の外径とスペーサー１２の内径をほぼ同じにし、これらの間に隙間が生じないようにして、スペーサー１２および接続部用スペーサー３２の位置が、他の各スペーサーと共に揃うようにすることもできる。
【００５２】
タッピンネジ３３は、スペーサー１２と連結パイプ１１，２１を貫通して棒体３１に至り、棒体３１を固定可能な軸長を有する。なお、本実施形態においては、タッピンネジ３３は軸長が１３ｍｍであるが、この寸法はスペーサーや連結パイプの径や厚みに合わせて適宜変更可能である。
【００５３】
（フェンスＦ１の設置方法）
フェンスＦ１の設置方法は以下の通りである。
（１）第１のフェンス構成体１および第２のフェンス構成体２を工場等で予め組み立てる。
なお、第１のフェンス構成体１は、格子部材１０を平行に並べ、対応する位置の貫通孔１０１に連結パイプ１１を挿通させる。このとき、格子部材１０の間の領域にはスペーサー１２を配置し、各スペーサー１２へ連結パイプ１１を通した上で、スペーサー１２を両側に位置する格子部材１０により挟持する。なお、連結パイプ１１は、第１のフェンス構成体１の最も外側に位置する両方の格子部材１０の側面から、連結パイプ１１の両端である取付部１１２が突き出すように取り付ける。
【００５４】
また、第２のフェンス構成体２は、格子部材１０と対向していない側の格子部材２０に係る側面を穿孔し、形成された孔に鬼目ナット２３を螺合し埋め込むことでネジ孔２２とし、このネジ孔２２に連結パイプ２１の雄ネジ部２１１を螺着させ、第１のフェンス構成体１と同様に、格子部材１０およびスペーサー１２を取り付けて組み立てる。
【００５５】
（２）工場等で予め組み立てられた第１のフェンス構成体１および第２のフェンス構成体２と、ジョイント体３を作業現場へ輸送する。１面のフェンスＦ１を設置する場合、第１のフェンス構成体１は少なくとも１つ、第２のフェンス構成体２は２つ使用される。なお、第１のフェンス構成体１を複数使用することにより、より幅の広いフェンスＦ１とすることができる。
【００５６】
（３）建物Ｈ１に係る設計に基づき、Ｌ型アングル８１を用いて、基礎部８２および軒部８３へフェンスＦ１を設置する（図６（ａ）、（ｂ）参照）。なお、このとき、予め第１のフェンス構成体１および第２のフェンス構成体２をジョイント体３で接続し、フェンスＦ１として構築してから設置してもよいし、第１のフェンス構成体１および第２のフェンス構成体２を基礎部８２および軒部８３に設置しながら各フェンス構成体をジョイント体３で接続していき、フェンスＦ１を構築してもよい。
【００５７】
（４）第１のフェンス構成体１と第２のフェンス構成体２の接続の際には、例えば、まず、取付部２１２に棒体３１の一端側を挿入し、接続部用スペーサー３２の一方側を取付部２１２に外嵌めする。
次に、取付部１１２に棒体３１の他端側を挿入し、接続部用スペーサー３２の他方側を取付部１１２に外嵌めする。
【００５８】
最後に、接続部用スペーサー３２の両端に格子部材１０を密着させ、この状態で、タッピンネジ３３を、第１のフェンス構成体１において取付部１１２の隣に位置するスペーサー１２と、第２のフェンス構成体２において取付部２１２の隣に位置するスペーサー１２に使用し、スペーサー１２と連結パイプ１１，２１を貫通して棒体３１に螺着するまでねじ込み、棒体３１が左右にぶれないように固定する。
これにより、第１のフェンス構成体１と第２のフェンス構成体２は接続される。
なお、第１のフェンス構成体１を複数接続する場合も、同様の手順により作業を行う。
【００５９】
また、フェンスＦ１は格子部材１０が縦方向になるように設置する方法のほか、建物Ｈ２の窓等に格子部材１０を横方向にして設置することもできる（図７参照）。
【００６０】
本実施形態においては、ジョイント体３にタッピンネジ３３を採用しているが、これに限定するものではなく、例えば、スペーサー、連結パイプおよび棒体の対応する位置に孔が形成されると共に、それぞれ雌ネジが切られている場合には、一般的なネジを採用してもよい。
【００６１】
ここで、第１のフェンス構成体１および第２のフェンス構成体２は、工場等で予め組み立てられていることで、作業現場で格子部材１０等を組み立てる必要がなく、かつ、所定の精度が安定的に確保されており、作業現場ではジョイント体３を用いて第１のフェンス構成体１および第２のフェンス構成体２を接いでフェンスＦ１を構築して設置できるため、施工期間が短縮できる。
【００６２】
このように、フェンスＦ１の設置作業は比較的簡単な作業であるため、フェンスＦ１を構築する際に、作業者の能力によって完成までに掛かる時間が左右されにくい。また、フェンスＦ１を設置するための時間が粗方予想できるため、設計事務所が建築費用の見積を行う際に、作業者の工賃が幾らになるか予想しやすく、正確な見積の作成が可能となる。
【００６３】
また、フェンス構成体として２種類のフェンス構成体のみ（フェンスＦ１の中間部分を構成する第１のフェンス構成体１と、フェンスの上下または左右の端部を構成する第２のフェンス構成体）を用いてフェンスＦ１を構築することができるので、作業初心者であっても作業手順を間違えにくい。また、フェンス構成体を２種類として部品点数を絞ることで、フェンス構成体の生産効率を向上させることができる。
【００６４】
このように、本実施形態では、フェンスＦ１の設置作業にあたり、作業者の能力に影響されることなく、所定の精度を安定的に確保できると共に、施工期間の短縮が可能となる。
【００６５】
〔第２実施形態〕
図８を参照して、第２実施形態に係るフェンスＦ２について説明する。
フェンスＦ２は、フェンスＦ１と異なり、共通構造のフェンス構成体４を複数用いて構築されるものである。なお、フェンスＦ１と同様の構成については、説明を省略すると共に、同様の符号を付し、相違する点についての説明を以下行う。
【００６６】
フェンス構成体４は、各々が平行に並んで配置される複数（本実施形態では５本）の格子部材１０と、各格子部材１０を貫通して連結する複数（図面上では一部省略し、５本のみ記載している）の連結パイプ４１と、隣接する格子部材１０の間の領域に配置されたスペーサー１２により構成されている（図８参照）。
【００６７】
格子部材１０は、それぞれ所要の長さを有する断面四角形状の棒体であり、連結パイプ４１を挿通させるための貫通孔１０１が格子部材１０の長手方向と直交するように形成されている。
【００６８】
連結パイプ４１は、両端が開口した所要長さを有する金属製の筒体であって、先述の挿通孔１０１を通して各格子部材１０を格子部材１０と交差する方向（図８における横方向）へ連結する際の軸となるものである。
また、連結パイプ４１は、その両端が各格子部材１０のうち最も外側に位置するものの側面と面一であり、開口した同部分が後述するジョイント体５の嵌入軸部５２または孔隠し５３を取り付けるための取付部４１２となっている。
【００６９】
なお、本実施形態においては、各連結パイプは、長さが１９８ｍｍ、径が１３ｍｍのアルミニウム合金製であるが、これらの寸法は先述の通り適宜変更可能であり、また、素材も合成樹脂等であってもよく、更に、一端から他端まで連通した完全な中空筒体に限定するものではない。
【００７０】
（ジョイント体５）
ジョイント体５は、両側が開口した筒状のスペーサー部５１と、スペーサー部５１の両開口部から突出した嵌入軸部５２を有している。
スペーサー部５１は、スペーサー１２と略同じ形状および寸法である。
【００７１】
嵌入軸部５２は、連結パイプ４１の内径よりもやや細く、軸周面の長さ方向に筋状の凸部が軸周方向において等間隔に４箇所設けられている。各凸部の表面を含む外径は、連結パイプ４１の内径よりもやや径大である。スペーサー部５１の開口部よりも奥側の領域において、スペーサー部５１の内周面と嵌入軸部５２の外周面の間には隙間が空いており、空間部を構成している。
【００７２】
なお、本実施形態において、ジョイント体は塩化ビニル樹脂により形成されているが、これに限定するものではなく、他の合成樹脂素材、アルミニウム合金等の金属素材、または、これらの組み合わせであってもよい。
【００７３】
孔隠し５３は、所要長さの嵌入軸部５３１と、嵌入軸部５３１よりも径大な円盤状の頭部５３２を有している。孔隠し５３に係る嵌入軸部５３１の形状は、先に述べたジョイント体５に係る嵌入軸部５２と略同一であるため説明を省略する。
【００７４】
なお、本実施形態においては、フェンス構成体４にジョイント体５を組み合わせる態様について説明しているが、ジョイント体５は、第１のフェンス構成体１および第２のフェンス構成体２にも使用することができる。先に述べた通り、ジョイント体５はスペーサー部５１と嵌入軸部５２との間に空間部を有しており（図８参照）、仮に第１のフェンス構成体１および第２のフェンス構成体２のように取付部１１２，２１２が突き出た態様であっても、同空間部内に取付部１１２，２１２を収めることができる構造であるためである。
【００７５】
（フェンスＦ２の設置方法）
フェンスＦ２の設置方法は以下の通りである。
（１）フェンス構成体４を工場等で予め組み立てる。なお、フェンス構成体４の組立手順は、取付部１１２を突出させない以外は、第１のフェンス構成体１の手順と略同一であるため、説明を省略する。
【００７６】
（２）工場等で予め組み立てられたフェンス構成体４と、ジョイント体５を作業現場へ輸送する。
【００７７】
（３）建物に係る設計に基づき、Ｌ型アングルを用いて、基礎部および軒部へフェンスＦ２を設置する（図示は省略するが、図６（ｂ）と同様のイメージである）。フェンスＦ１の場合と同様に、フェンス構成体４を組み合わせてフェンスＦ２を構築してから建物に設置してもよいし、フェンス構成体４を個別に設置しながらフェンスＦ２を構築してもよい。
【００７８】
（４）各フェンス構成体４の接続の際には、隣接するフェンス構成体４の取付部４１２に、ジョイント体５の嵌入軸部５２を押し込む。ジョイント体５を押し込む際に、嵌入軸部５２に係る凸部が縮小変形しながら取付部４１２の孔内に入り、同凸部は取付部４１２の孔内において復元力（換言すると、外側に向かう力）を発揮し、嵌入軸部５２と取付部４１２の内壁との間に強い摩擦力が生じる。この結果、ジョイント体５とフェンス構成体４が外れにくくなる。
【００７９】
（５）フェンス構成体４の格子部材１０のうち、フェンスＦ２の最も外側の端部に位置するものの側面に開口する取付部４１２には、孔隠し５３を押し込む。これにより、外観が見苦しくならず、また、取付部４１２に蓋をして雨水等の浸入を防止することができる。
【００８０】
本実施形態では、２つのフェンス構成体４を組み合わせてフェンスＦ２を構築しているが、これに限定するものではなく、３つ以上のフェンス構成体４を接いでもよいし、１つでもよい。なお、１つのフェンス構成体４によりフェンスを構成する（ジョイント体５を使用しない）場合は、最も外側の端部に位置する格子部材１０に係る各取付部４１２に孔隠し５３を取着してもよい。
【００８１】
ここで、フェンス構成体４は、工場等で予め組み立てられていることで、作業現場で格子部材１０等を組み立てる必要がなく、かつ、所定の精度が安定的に確保されており、作業現場ではジョイント体５を用いてフェンス構成体４を接いでフェンスＦ２を構築して設置できるため、施工期間が短縮できる。
【００８２】
なお、ジョイント体５を用いたフェンスＦ２の設置作業は、フェンスＦ１の設置作業よりも更に簡単な作業であるため、作業者の能力によって完成までに掛かる時間が更に短縮される。
【００８３】
また、フェンスＦ２は、基本的に１種類のフェンス構成体４のみを用いて構築することができるので、作業初心者であっても作業手順を間違えにくい。また、フェンスＦ１以上に部品点数を絞ることができ、フェンス構成体の生産効率を向上させることができる。加えて、フェンス構成体の生産効率向上に伴い、製造コストの抑制も期待できる。
【００８４】
なお、仮にフェンスの長さが合わない場合は、必要な幅分の格子部材およびスペーサーを外し、連結パイプ４１を切断することで長さの微調整が可能である（第１実施形態においても同じ）。
【００８５】
このように、本実施形態では、フェンスＦ２の設置作業にあたり、作業者の能力に影響されることなく、所定の精度を安定的に確保できると共に、施工期間の短縮が可能となる。
【００８６】
このように、本実施の形態において開示されたフェンス構成体は、工場等で製造された半完成品であるフェンス構成体を現場で組み立ててフェンスを完成させるので、作業従事者の習熟度または能力に関わらず、安定した作業進捗が期待できる。また、作業時間の短縮化により、建設費用が抑制できる。更に、フェンスが完成するまでの作業者の作業工賃が幾らになるか予想しやすく、設計事務所にとって建築費用見積が立てやすい。
【００８７】
本明細書および本実用新案登録請求の範囲で使用している用語と表現は、あくまでも説明上のものであって、なんら限定的なものではなく、本明細書および本実用新案登録請求の範囲に記述された特徴およびその一部と等価の用語や表現を除外する意図はない。また、本考案の技術思想の範囲内で、種々の変形態様が可能であるということは言うまでもない。
【符号の説明】
【００８８】
Ｆ１，Ｆ２    フェンス
１    第１のフェンス構成体
１０    格子部材
１０１    貫通孔
１１    連結パイプ
１１２    取付部
１２    スペーサー
２    第２のフェンス構成体
２０    格子部材
２１    連結パイプ
２１１    雄ネジ部
２１２    取付部
２２    ネジ孔
２３    鬼目ナット
３    ジョイント体
３１    棒体
３２    接続部用スペーサー
３３    タッピンネジ
４    フェンス構成体
４１    連結パイプ
４１２    取付部
５    ジョイント体
５１    スペーサー部
５２    嵌入軸部
５３    孔隠し
５３１    嵌入軸部
５３２    頭部
８１    Ｌ型アングル
８２    基礎部
８３    軒部
Ｈ１，Ｈ２    建物
【図１】
0003217305.tif 000003
【図２】
0003217305.tif 000004
【図３】
0003217305.tif 000005
【図４】
0003217305.tif 000006
【図５】
0003217305.tif 000007
【図６】
0003217305.tif 000008
【図７】
0003217305.tif 000009
【図８】
0003217305.tif 000010
【手続補正書】
【提出日】平成30年5月30日(2018.5.30)
【手続補正１】
【補正対象書類名】実用新案登録請求の範囲
【補正対象項目名】全文
【補正方法】変更
【補正の内容】
【実用新案登録請求の範囲】
【請求項１】
所要長さを有する棒体であり、各々が並列に配置される複数の格子部材と、
該格子部材と交差する方向に同格子部材を貫通し、隣接する同格子部材を連結する複数の連結棒と、
該連結棒と同軸方向に配置されると共に、隣接する前記各格子部材の間隔を一定に保持するスペーサーと、
隣接する他のフェンス構成体を接合させるために用いられるジョイント手段を取り付ける取付部とを備える
フェンス構成体。
【請求項２】
前記連結棒が、両端が開口した筒体であって、前記格子部材のうち最も外側に位置する２つの同格子部材のいずれか一方または両方から突出した同連結棒の端部が前記取付部となっており、
前記取付部と、同取付部と連通する隣接した他のフェンス構成体に係る他の取付部とに亘って挿入される棒体と、同棒体が配置された同各取付部に取り付けられると共に、隣接する前記各格子部材の間隔を一定に保持すべく配置される接続部用スペーサーと、少なくとも、前記スペーサーと前記連結棒、または、同接続部用スペーサーと同連結棒のいずれかを貫通して、同棒体を固定可能な軸長を有するタッピンネジとを有するジョイント手段を備えている
請求項１記載のフェンス構成体。
【請求項３】
前記取付部が、前記格子部材のうち最も外側に位置する２つの同格子部材のいずれか一方または両方に設けられ、隣接する他のフェンス構成体へ向いて開口した所要深さの孔を有するものであり、
前記最も外側に配置される格子部材と、隣接する他のフェンス構成体に係る最も外側に配置される格子部材との間隔を一定に保持するスペーサー部と、同スペーサー部の中心軸線の両方向へ延びた前記取付部の孔に嵌入して脱落しない太さの嵌入軸部とを有するジョイント手段を備えている
請求項１記載のフェンス構成体。
【請求項４】
所要長さを有する棒体であり、各々が並列に配置される複数の格子部材と、
該格子部材と交差する方向に同格子部材を貫通し、隣接する同格子部材を連結する複数の連結棒と、
該連結棒と同軸方向に配置されると共に、隣接する前記各格子部材の間隔を一定に保持すべく配置されたスペーサーと、
前記格子部材のうち、最も外側に位置する２つの同格子部材の両方に設けられると共に、隣接する他のフェンス構成体を接合させるために用いられるジョイント手段を取り付ける取付部とを備えており、複数のフェンス構成体を組み合わせてなるフェンス全体の中間部を構成する部品として配置される
フェンス構成体。
【請求項５】
所要長さを有する棒体であり、各々が並列に配置された複数の格子部材と、
該格子部材と交差する方向に同格子部材を貫通し、隣接する同格子部材を連結する複数の連結棒と、
該連結棒と同軸方向に配置されると共に、隣接する前記各格子部材の間隔を一定に保持すべく配置されたスペーサーと、
前記格子部材のうち、最も外側に位置する２つの同格子部材の一方にのみ設けられると共に、隣接する他のフェンス構成体を接合させるために用いられるジョイント手段を取り付ける取付部とを備えており、複数のフェンス構成体を組み合わせてなるフェンスの左右の端部または上下の端部を構成する部品として配置される
フェンス構成体。
【請求項６】
所要長さを有する棒体であり、各々が並列に配置される複数の格子部材と、
該各格子部材のうち隣接するものを、所要の間隔を開けて連結する連結手段と、
隣接する他のフェンス構成体と接続するための接続要素の取付部とを備える
フェンス構成体。
【請求項７】
所要長さを有する棒体であり、各々が並列に配置された複数の格子部材と、同格子部材と交差する方向に同格子部材を貫通し、隣接する同格子部材を連結する複数の連結棒と、同連結棒と同軸方向に配置されると共に、隣接する同各格子部材の間隔を一定に保持すべく配置されたスペーサーと、隣接する他のフェンス構成体を接合させるために用いられるジョイント手段を取り付ける取付部とを備えており、予め組み立てられている複数のフェンス構成体を、ジョイント手段により作業現場で接合して構築される
フェンス。